(57)【特許請求の範囲】
【請求項１】
メッセンジャワイヤ（２）に架設されたケーブル（４）の接続部（１１）に設置されるケーブル用クロージャ（１０）において、接続部を内装するクロージャ本体（１２）と、該クロージャ本体をメッセンジャワイヤから吊り下げるための吊り下げ具（１３）とを具備し、
吊り下げ具は、クロージャ本体の上側の外面に固定された固定金具（１６）と、該固定金具に一端部（１７）が固定された概略コ字状の吊り下げ具本体（１８）と、該吊り下げ具本体の他端部（１９）との間にメッセンジャワイヤをクランプするクランプ板（２０）とを備え、
吊り下げ具本体の中央部（２１）は、メッセンジャワイヤとクロージャ本体の配置平面からケーブルを迂回するように側方に突出する形状に屈曲され、ケーブルを内装しかつケーブルを出し入れ自在な開口部（２２）を側部に有する内装空間（２３）を形成していることを特徴とするケーブル用クロージャ。
【請求項２】
前記クランプ板は、メッセンジャワイヤの両側においてナット（２４）と螺着されるネジ（２５）によって吊り下げ具本体の他端部と連結されるようになっており、クランプ板の一方のネジ穴（２６）は、クランプ板の側部に開口する長穴であって、クランプ板は、他方のネジ穴（２７）に挿通したネジを中心として回転することにより、前記一方のネジ穴に挿通したネジと係脱するようになっていることを特徴とする請求項１記載のケーブル用クロージャ。
【請求項３】
前記吊り下げ具本体の他端部は、メッセンジャワイヤの上側に係合しており、前記クランプ板は、吊り下げ具本体の他端部に配置されて、吊り下げ具本体の他端部との間にメッセンジャワイヤをクランプするようになっていることを特徴とする請求項１又は２記載のケーブル用クロージャ。
【請求項４】
前記ケーブルが光ファイバケーブルであることを特徴とする請求項１〜３のいずれかに記載のケーブル用クロージャ。
【発明の詳細な説明】
【０００１】
【発明の属する技術分野】
本発明は、メッセンジャワイヤに架設されたケーブルの接続部に設置されるケーブル用クロージャに係り、特にメッセンジャワイヤとクロージャとを連結する吊り下げ具を有するケーブル用クロージャに関するものである。
【０００２】
【従来の技術】
メッセンジャワイヤに架設されたケーブルの接続部に設置されるケーブル用クロージャは、図４に示すように、吊り下げ具１によってメッセンジャワイヤ２から吊り下げるようになっている。
ところで、メッセンジャワイヤ２とメッセンジャワイヤ２から吊り下げられたクロージャ本体３との間に他のケーブル４が存在する場合には、図５に示すような吊り下げ具５を使用して、ケーブル４との干渉を回避することが一般的である。吊り下げ具５は枠状であって、一端がクロージャ本体３の上部に固定され、他端がメッセンジャワイヤ２から吊り下げられるようになっている。メッセンジャワイヤ２とクロージャ本体３との間に存在するケーブル４は、吊り下げ具５の内側に挿通するようになっている。これらケーブル４は、仮架設の完了後に吊り下げ具５を組み立てるか、設置の完了した吊り下げ具５の内側に挿通しつつ架設されるようになっている。
【０００３】
【発明が解決しようとする課題】
ところで、前記のようなケーブル用クロージャの場合、吊り下げ具５が枠状になっているので、組立後に他のケーブル４を内装架設する場合や、逆に内装したケーブル４を吊り下げ具５の外側に取り出すためには、吊り下げ具５に対してケーブル４の端末を通過させるか吊り下げ具５を分解する必要が生じるため、作業性が悪くなるといった問題が生じていた。
また、吊り下げ具５とクロージャ本体３との連結部が複数あるいは大型になるので、クロージャ本体３の分割位置６等の設計に影響を与えたり、クロージャ本体３の形状やサイズによっては、安定に吊り下げることができない場合が生じていた。特に、クロージャ本体３のサイズが小さく、クロージャ本体３とメッセンジャワイヤ２との間に太径のケーブル４が架設されている場合には、形状を変更した吊り下げ具５を使用する必要が生じて、コストが割高になってしまう上、内装すべきケーブル４の位置によっては、吊り下げ具５を不安定な姿勢で取り付けざるを得ないケースが生じるという問題が生じていた。
【０００４】
本発明は、前述の課題に鑑みてなされたもので、取り付け後にも、他のケーブルの架設や撤去を自由に行うことができるケーブル用クロージャを提供することを目的とするものである。
【０００５】
【課題を解決するための手段】
本発明は、前記課題を解決するため、メッセンジャワイヤに架設されたケーブルの接続部に設置されるケーブル用クロージャにおいて、接続部を内装するクロージャ本体と、該クロージャ本体をメッセンジャワイヤから吊り下げるための吊り下げ具とを具備し、吊り下げ具は、クロージャ本体の上側の外面に固定された固定金具と、該固定金具に一端部が固定された概略コ字状の吊り下げ具本体と、該吊り下げ具本体の他端部との間にメッセンジャワイヤをクランプするクランプ板とを備え、吊り下げ具本体の中央部は、メッセンジャワイヤとクロージャ本体の配置平面からケーブルを迂回するように側方に突出する形状に屈曲され、ケーブルを内装しかつケーブルを出し入れ自在な開口部を側部に有する内装空間を形成する形状としたことを前記課題の解決手段とした。
請求項２記載の発明は、請求項１記載のケーブル用クロージャにおいて、前記クランプ板は、メッセンジャワイヤの両側においてナットと螺着されるネジによって吊り下げ具本体の他端部と連結されるようになっており、クランプ板の一方のネジ穴は、クランプ板の側部に開口する長穴であって、クランプ板は、他方のネジ穴に挿通したネジを中心として回転することにより、前記一方のネジ穴に挿通したネジと係脱するようになっていることを特徴とする。
請求項３記載の発明は、請求項１又は２記載のケーブル用クロージャにおいて、前記吊り下げ具本体の他端部は、メッセンジャワイヤの上側に係合しており、前記クランプ板は、吊り下げ具本体の他端部に配置されて、吊り下げ具本体の他端部との間にメッセンジャワイヤをクランプするようになっていることを特徴とする。
請求項４記載の発明は、請求項１〜３のいずれかに記載のケーブル用クロージャは、前記ケーブルが光ファイバケーブルであることを特徴とする。
【０００６】
【発明の実施の形態】
以下本発明のケーブル用クロージャの実施の形態を、図１から図３を参照して説明する。
なお、図中、図４および図５と同一の構成部分には同一の符号を付し、その説明を簡略化する。
図中符号１０は、本実施の形態のケーブル用クロージャである。ケーブル用クロージャ１０は、図１および図２に示すように、ケーブル４の接続部１１を内装する二つ割り体よりなるクロージャ本体１２と、該クロージャ本体１２をメッセンジャワイヤ２から吊り下げるための吊り下げ具１３とを具備している。
【０００７】
ケーブル４としては、例えば光ファイバケーブルが適用される。クロージャ本体１２は、樹脂等で形成された円筒体であって、接続部１１として、ケーブル４から導出した光ファイバ同士を接続する光コネクタ１４等の光部品や融着接続部およびこれらの接続余長等を収納するようになっている。クロージャ本体１２の一側部には、クロージャ本体１２の周方向に開閉自在に係止するバックル状の係止金具１５が取り付けられている。
【０００８】
吊り下げ具１３は、クロージャ本体１２の係止金具１５と直径方向に概略対向する位置に取り付けられている。
吊り下げ具１３は、クロージャ本体１２の上側の外面に固定された固定金具１６と、該固定金具１６に一端部１７がネジ１８ａを介して固定された概略コ字状の吊り下げ具本体１８と、該吊り下げ具本体１８の他端部１９の下側に配置されて他端部１９との間にメッセンジャワイヤ２をクランプして吊り下げ具本体１８をメッセンジャワイヤ２から安定に吊り下げるクランプ板２０とを備えている。吊り下げ具本体１８は、長板を加工して形成されている。吊り下げ具本体１８の中央部２１は、メッセンジャワイヤ２とクロージャ本体１２の配置平面からケーブル４を迂回するように側方に突出する形状に屈曲され、ケーブル４を内装しかつケーブル４を出し入れ自在な開口部２２を側部に有する内装空間２３を形成している。吊り下げ具１３は、全体としても概略コ字状になっている。
【０００９】
クランプ板２０は、メッセンジャワイヤ２の両側においてナット２４と螺着されるネジ２５によって吊り下げ具本体１８の他端部１９と連結されるようになっている。クランプ板２０の一方のネジ穴２６は、図２に示すように、クランプ板２０の側部に開口する長穴であって、他方のネジ穴２７に挿通したネジ２５を中心としてクランプ板２０を回転することにより、挿通したネジ２５と係脱するようになっている。他方のネジ穴２７は、クランプ板２０の回転を容易にする長穴に形成されている。
【００１０】
以下、本実施の形態の作用および効果を説明する。
前記ケーブル用クロージャ１０によれば、吊り下げ具本体１８が形成する内装空間２３に、クロージャ本体１２とメッセンジャワイヤ２との間に架設されているケーブル４が出し入れ自在に内装されるので、組立完了後においても他のケーブル４の新規架設や撤去を容易に行うことができる。この結果、ケーブル４の新規架設や撤去時に、吊り下げ具１３を分解する必要が無くなるので、これら作業をクロージャ本体１２内に収納した光部品等に影響を与えることなく実施することができる。また、吊り下げ具本体１８の他端部１９がメッセンジャワイヤ２の上側に係合しているので、万一、クランプ板２０が脱落した場合でも、容易には落下しないようになっている。
【００１１】
また、クランプ板２０が、他方のネジ穴２７に挿通したネジ２５を中心として回転することにより一方のネジ穴２６に挿通したネジ２５と係脱自在になっているので、吊り下げ具１３のメッセンジャワイヤ２への係脱作業が容易になる。
さらに、吊り下げ具１３とクロージャ本体１２との取り付け箇所を一カ所にしかも縮小して形成することができるので、クロージャ本体１２の形状や係止金具１５の設置位置に関係なく適用することが可能となって汎用性が向上する。また、開口部２２を有する内装空間２３にケーブル４を内装する構造なので、ケーブル４を回避して吊り下げ具１３を設置することが容易になり、回避すべきケーブル４径が大きい場合であってもクロージャ本体１２を安定して吊り下げることが可能となり、回避すべきケーブル４の径に対する汎用性が向上する。
【００１２】
なお、本発明のケーブル用クロージャは、光ファイバケーブル以外の各種メタルケーブルにも適用することができる。
また、ケーブル用クロージャの形状は、側部に開口部を有する内装空間を形成する概略コ字状であれば、図示した形状に限らない。
【００１３】
【発明の効果】
以上説明したように、本発明のケーブル用クロージャによれば、メッセンジャワイヤに架設されたケーブルの接続部に設置されるケーブル用クロージャにおいて、接続部を内装するクロージャ本体と、該クロージャ本体をメッセンジャワイヤから吊り下げるための吊り下げ具とを具備し、該吊り下げ具を、ケーブルを内装しかつケーブルを出し入れ自在な開口部を側部に有する内装空間を形成する形状としたことにより、
（１）クロージャが接続された以外のケーブルが内装空間に出し入れ自在に内装されるので、組立完了後においても他のケーブルの新規架設や撤去を容易に行うことができる、
（２）吊り下げ具とクロージャ本体との取り付け箇所を一カ所にすることができるので、クロージャ本体の形状に関係なく適用することが可能となって汎用性が向上する、
（３）開口部を有する内装空間にケーブルを内装する構造なので、ケーブルを回避して吊り下げ具を設置することが容易になって、回避すべきケーブルの径に対する汎用性が向上する、
といった優れた効果を奏する。
【図面の簡単な説明】
【図１】  本発明のケーブル用クロージャの実施の形態を示す正断面図である。
【図２】  本発明のケーブル用クロージャの実施の形態を示す側面図である。
【図３】  本発明のケーブル用クロージャの実施の形態を示す図であって、吊り下げ具を示す平面図である。
【図４】  従来のケーブル用クロージャを示す側面図である。
【図５】  従来のケーブル用クロージャを示す正断面図である。
【符号の説明】
２…メッセンジャワイヤ、４…ケーブル、１０…ケーブル用クロージャ、１１…接続部、１２…クロージャ本体、１３…吊り下げ具、２２…開口部、２３…内装空間。
【図１】
0003741759.tif 000002
【図２】
0003741759.tif 000003
【図３】
0003741759.tif 000004
【図４】
0003741759.tif 000005
【図５】
0003741759.tif 000006